(57)【要約】      （修正有）【課題】吸収性物品に設けられた窪み部から立体ギャザーを立ち上げること。【解決手段】着用者の肌に当接する表面シート２２と、前記表面シート２２の裏面側に設けられる体液吸収体２３と、前記吸収体２３の裏面側に設けられる体液の裏面への移行を阻止する防漏シートとを含み、使用時に弾性伸縮部材３１の収縮力により使用面側に起立する立体ギャザーを有し、前記吸収体２３の前後方向中間部における両側に、幅方向中心側へ向かって窪んだ窪み部２７を有し、かつ、この少なくとも窪み部２７で囲まれる領域においては、吸収体２３より可撓性の易撓み部２８とされ、この易撓み部２８は前記立体ギャザーの起立と連動するように構成され、前記易撓み部２８と前記窪み部２７との境界位置、または前記窪み部２７の外側近傍が、前記易撓み部２８の他の部分よりも剛性が高く形成されていることを特徴とする立体ギャザーを有する吸収性物品により解決される。【選択図】図２
2014198195.tif 000002
【特許請求の範囲】
【請求項１】
着用者の肌に当接する表面シートと、前記表面シートの裏面側に設けられる体液吸収体と、前記吸収体の裏面側に設けられる体液の裏面への移行を阻止する防漏シートとを含み、
幅方向両側部において、少なくとも側縁部に弾性伸縮部材が前後方向に沿って設けられ、使用時に弾性伸縮部材の収縮力により使用面側に起立する立体ギャザーを有し、
前記吸収体の前後方向中間部における両側に、幅方向中心側へ向かって窪んだ窪み部を有し、かつ、この少なくとも窪み部で囲まれる領域においては、前記表面シートと裏面側のシート材料で形成され、前記吸収体より可撓性の易撓み部とされ、この易撓み部は前記立体ギャザーの起立と連動するように構成され、
前記窪み部、または前記窪み部の外側近傍が、前記易撓み部の他の部分よりも剛性が高く形成されていることを特徴とする立体ギャザーを有する吸収性物品。
【請求項２】
前記剛性の高い部分が、ヒートシール、超音波、ヒートエンボスの群から選ばれるいずれかの手段により形成される請求項１記載の立体ギャザーを有する吸収性物品。
【請求項３】
前記立体ギャザーシートの起立根元側には、前記易撓み部とほぼ同じ前後方向長さ範囲で、両端が根元側から前後方向中央側に膨らむ形態で、中間弾性伸縮部材が固定してある請求項１または２記載の立体ギャザーを有する吸収性物品。
【請求項４】
前記吸収性物品は、下半身用肌着もしくは紙おむつの使用面側に配置する吸収パッド、テープ式紙おむつまたはパンツ式紙おむつである請求項１〜３のいずれか１項に記載の立体ギャザーを有する吸収性物品。
【発明の詳細な説明】
【技術分野】
【０００１】
本発明は、尿などの排泄物を吸収するために使用される吸収性物品に関するものである。より詳細には、下半身用肌着もしくは紙おむつの使用面側に配置する吸収パッド、テープ式紙おむつまたはパンツ式紙おむつなどの吸収性物品に関するものである。
【背景技術】
【０００２】
前記吸収性物品の一例である吸収パッドは、おむつ交換費用の低減や、トイレトレーニングを目的として、テープ式やパンツ式の使い捨ておむつの内面、あるいは下半身用肌着の内面に取り付けて使用される（例えば特許文献１または２参照）。
【０００３】
一般的な吸収パッドは、表面シートと防漏シートとの間に、体液を吸収する吸収体が介在されてなる基本構造を有しており、製品によっては不織布等からなる外装シートが、防漏シートの裏面側を覆っている。
【０００４】
また、吸収パッドの使用面側の幅方向両端に、前後方向に沿って立体ギャザーが配されている製品も存在する。このような製品を着用すると、この立体ギャザーが着用者の使用面側に向かって立ち上がり、その結果、吸収パッドからの排泄物の横漏れを防ぐことができる。
【０００５】
さらに、吸収パッドは、シート状であって略矩形状を呈するものが一般的である。その他には、吸収体の股間部において、幅方向外側から中央側へ一対の窪み部を設け、吸収パッドの股間部の幅方向の幅を小さくすることにより、着用者の大腿部とのフィット性を向上させたものもある。
【０００６】
前記の吸収パッドの一例として、側壁部に対して、本体部の長手方向と平行に弾性部材を配設した吸収性物品が開示されている（特許文献３）。この弾性部材が収縮することにより、吸収部の側方において、側壁部が収縮して着用者側に向かって立ち上がり、着用時に着用者の付け根近傍に当接する立体ギャザーが形成される。
【０００７】
そのほか、吸収性物品の長手方向に沿うように伸長状態で第一弾性部材および第二弾性部材を配設した吸収性物品も開示されている（特許文献４）。この各弾性部材が収縮することにより、フィット性が良くなるとともに、経血等の排泄物の横漏れを確実に防止することができる。
【先行技術文献】
【特許文献】
【０００８】
【特許文献１】特開２００５−２８７７９１号公報
【特許文献２】特開２００３−２１０５２４号公報
【特許文献３】特許第４４５９７５３号公報
【特許文献４】特開２００９−１７８２７４号公報
【発明の概要】
【発明が解決しようとする課題】
【０００９】
しかしながら、上記特許文献３および４記載のような従来の吸収性物品は、吸収性物品の幅方向両側に設けた立体ギャザーの立ち上がり起点が定まらず、立体ギャザーの立ち上がる高さがばらばらになりやすい。
【００１０】
より詳細には、着用する前に吸収性物品を広げた段階で、立体ギャザーが窪み部から立ち上がらずに、フィットカット部分よりも幅方向外側の任意の部分から立ち上がることが多い。その結果、製品を着用する際に立体ギャザー部分に足がひっかかりやすくなるという問題がある。
【００１１】
また、吸収性物品を着用した段階においては、着用者の脚圧によって、立体ギャザーの側壁同士が重なりあう等の状態になり、立体ギャザーの立ち上がる高さを十分に確保できない場合が多い。その結果、着用者の大腿部と立体ギャザーの密着性が弱くなり、漏れ防止の観点から問題がある。
【００１２】
さらに、前記従来例のように、吸収パッドの長手方向と平行に弾性部材を配設すると、弾性部材が収縮したときに、つられて吸収体も収縮してしまう場合がある。特に、弾性部材と吸収体の間の距離が短いときに、このような問題が生じやすい。
【００１３】
そこで、本発明の主たる目的は、吸収性物品に設けられた窪み部から立体ギャザーを立ち上げることにある。そして、着用者の大腿部と立体ギャザーの密着性を強くし、排泄物の横漏れを防ぐことにある。また、弾性部材が収縮した際に、それにつられて吸収体が収縮することを防ぐことにある。
【課題を解決するための手段】
【００１４】
上記課題を解決した本発明は次記のとおりである。
＜請求項１記載の発明＞
着用者の肌に当接する表面シートと、前記表面シートの裏面側に設けられる体液吸収体と、前記吸収体の裏面側に設けられる体液の裏面への移行を阻止する防漏シートとを含み、
幅方向両側部において、少なくとも側縁部に弾性伸縮部材が前後方向に沿って設けられ、使用時に弾性伸縮部材の収縮力により使用面側に起立する立体ギャザーを有し、
前記吸収体の前後方向中間部における両側に、幅方向中心側へ向かって窪んだ窪み部を有し、かつ、この少なくとも窪み部で囲まれる領域においては、前記表面シートと裏面側のシート材料で形成され、前記吸収体より可撓性の易撓み部とされ、この易撓み部は前記立体ギャザーの起立と連動するように構成され、
前記窪み部、または前記窪み部の外側近傍が、前記易撓み部の他の部分よりも剛性が高く形成されていることを特徴とする吸収性物品。
【００１５】
（作用効果）
前記窪み部や、窪み部の外側近傍に、剛性の高い部分を設けることにより、その剛性の高い部分を起立起点として、立体ギャザーを立ち上げることができる。その結果、吸収性物品を着用する際に、立体ギャザー部分に足がひっかかりにくくなる。また、吸収性物品を着用した段階において、着用者の脚圧によって、立体ギャザーの側壁同士が重なりあう状態を回避することができ、立体ギャザーの立ち上がる高さを十分に確保することができる。その結果、着用者の大腿部と立体ギャザーの密着性が強くなり、排泄物の横漏れを防ぐことができる。
【００１６】
＜請求項２記載の発明＞
前記剛性の高い部分が、ヒートシール、超音波、ヒートエンボスの群から選ばれるいずれかの手段により形成される請求項１記載の立体ギャザーを有する吸収性物品。
【００１７】
（作用効果）
ヒートシール、超音波、ヒートエンボスのいずれかの手段を用いることにより、前記剛性の高い部分を容易に形成することができる。その結果、吸収性物品の製造効率の低下を抑えることができる。製造スピードが速く、剛性が高くなりすぎないなどの理由により、特に超音波が好ましい。
【００１８】
＜請求項３記載の発明＞
前記立体ギャザーシートの起立根元側には、前記易撓み部とほぼ同じ前後方向長さ範囲で、両端が根元側から前後方向中央側に膨らむ形態で、中間弾性伸縮部材が固定してある請求項１または２記載の立体ギャザーを有する吸収性物品。
【００１９】
（作用効果）
前記のように中間弾性伸縮部材を設け、この中間弾性伸縮部材が収縮することにより、より一層、剛性の高い部分から立体ギャザーを立ち上げやすくなる。その結果、着用者の大腿部と立体ギャザーの密着性が強くなり、排泄物の横漏れを防ぐことができる。また、中間弾性伸縮部材を外側に向かって湾曲するように配置することで、吸収体の収縮を防ぐことができる。
【００２０】
＜請求項４記載の発明＞
前記吸収性物品は、下半身用肌着もしくは紙おむつの使用面側に配置する吸収パッド、テープ式紙おむつまたはパンツ式紙おむつである請求項１〜３のいずれか１項に記載の立体ギャザーを有する吸収性物品。
【００２１】
（作用効果）
本発明は、吸収パッドだけではなく、窪み部と立体ギャザーを有するテープ式紙おむつやパンツ式紙おむつにも適用することができる。
【発明の効果】
【００２２】
以上の通り本発明によれば、窪み部から立体ギャザーを立ち上げることができる。そして、着用者の大腿部と立体ギャザーの密着性を強くし、排泄物の横漏れを防ぐことができる。また、弾性部材が収縮した際に、それにつられて吸収体が収縮することを防ぐことができる。
【図面の簡単な説明】
【００２３】
【図１】本発明の第一実施例（高剛性部あり、中間弾性伸縮部材なし）に係る吸収パッドの平面図である。
【図２】本発明の第一実施例に係る吸収パッドであって、立体ギャザー部分を幅方向外側へ展開した状態を示した平面図である。
【図３】図１のＡ−Ａ断面図である。
【図４】図１のＡ−Ａ断面図であって、立体ギャザーが起立した状態を示した図である。
【図５】図１および図７のＢ−Ｂ断面図である。
【図６】図２のＣ−Ｃ断面図である。
【図７】本発明の第二実施例（高剛性部あり、中間弾性伸縮部材あり）に係る吸収パッドの平面図である。
【図８】本発明の第二実施例に係る吸収パッドであって、立体ギャザー部分を幅方向外側へ展開した状態を示した平面図である。
【図９】図７のＤ−Ｄ断面図である。
【図１０】図１のＤ−Ｄ断面図であって、立体ギャザーが起立した状態を示した図である。
【図１１】図８のＥ−Ｅ断面図である。
【図１２】本発明の第二実施例に係る吸収パッドであって、立体ギャザーが起立した状態を示した斜視図である。
【図１３】本発明に係るパンツ式紙おむつの平面図である。
【図１４】本発明に係るテープ式紙おむつの平面図である。
【図１５】図８に対応する平面図であり、高剛性部と中間弾性伸縮部材の形状のバリエーションを示した図である。
【発明を実施するための形態】
【００２４】
以下、本発明の一実施形態について添付図面を参照しつつ説明する。
（第１の形態）
図１〜７は、第１の形態の吸収パッド２００を示している。この吸収パッド２００は、前後方向中央部分Ｃ１及びそれに対して前側に延在する腹側（前側）部分Ｆ１及び後側に延在する背側（後側）部分Ｂ１を有するものである。各部の寸法は適宜定めることができ、例えば、物品全長（前後方向長さ）Ｌ１は４００〜６００ｍｍ程度、全幅Ｗ１は１２０〜２００ｍｍ程度とすることができる。
【００２５】
吸収パッド２００は、表面シート２２と防漏シート２１の間に、吸収体２３が介在された基本構造をしている。
【００２６】
（表面シート）
表面シート２２は、排泄物の水分を捕捉して吸収体２３へ移動させる。表面シート２２は透液性の材料、例えば、親水性繊維により形成された不織布が好ましい。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２７】
（吸収体）
排泄物の水分を吸収する吸収体２３としては、パルプ繊維の積繊体、綿状パルプ、あるいは不織布を基本とし、必要に応じて高吸収性ポリマーを混合、固着等してなるものを用いることができる。そして、必要に応じて、吸収体２３はクレープ紙（図示せず）により包むことができる。また、吸収体２３の形状は、例えば、前側から後側までの幅がほぼ同じである長方形状とすることができる。あるいは、相対的に前側の部分が後側の部分よりも幅広な台形状等、適宜の形状とすることもできる。吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。なお、この吸収体２３は半剛性の性質を有し、弾性伸縮部材の収縮力や脚圧などによって、ある一定以上の力がかかると撓む性質を有する。また、この吸収体２３がある箇所は、易撓み部２８のような吸収体２３がない箇所よりも、撓みにくいという性質を有する。
【００２８】
（防漏シート）
吸収体２３の裏面側には、排泄物の水分が裏面への移行することを阻止する防漏シート２１が設けられている。防漏シート２１としては、ポリエチレンフィルム等のほか、ムレ防止の観点から、遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２９】
（外装シート）
防漏シート２１の外面（裏面）を、外装シート２５により覆うようにしてもよい。外装シート２５としては各種の不織布を用いることができる。この不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３０】
吸収パッド２００の幅方向両端部では、前記外装シート２５が吸収体２３の側縁よりも外側にそれぞれ延在され、この延在部が吸収パッド２００の裏面側から使用面側へ折り返される。そして、この折り返された外装シート２５の内面が、前記表面シート２２の表面と貼り合わされる。この貼り合わせは、ホットメルト接着剤、ヒートシール、超音波シールなどの公知の手段により行うことができる。
【００３１】
（ズレ止め部）
また、吸収パッド２００の裏面に、粘着剤層からなるズレ止め部（図示しない）を設けてもよい。このズレ止め部としては、フック状突起を多数有するフックテープを用いることも可能である。フック状突起の形状としてはキノコ状の他、フック状、レ字状、Ｊ字状、Ｔ字状、ダブルＪ字状（Ｊ字状のものを背合わせに結合した形状のもの）等が存在するが、いずれの形状であっても良い。なお、フックテープはホットメルト接着剤等により取り付けることができる。ズレ止め部は、剥離シートにより剥離可能に被覆しておき、使用時に剥離シートを剥離してズレ止め部を露出させるのが望ましい。
【００３２】
（エンドフラップ）
また、吸収パッド２００の前後方向両端部では、外装シート２５、防漏シート２１および表面シート２２が、吸収体２３の前後端よりも前後両側にそれぞれ延在されて貼り合わされ、吸収体２３の存在しないエンドフラップ部ＥＦが形成されている。この貼り合わせも、ホットメルト接着剤、ヒートシール、超音波シールなどの公知の手段により行うことができる。そして、これらエンドフラップ部ＥＦ以外の吸収体介在部分が、排泄物を保持する本体部ＢＤを構成する。
【００３３】
（立体ギャザー）
立体ギャザーを構成するギャザーシート２４は、幅方向外側の部分が前後方向全体にわたり、吸収パッド２００の使用面（図示形態では、表面シート２２の表面および外装シート２５の外面）に貼り合わされて固定される。それとともに、幅方向中央側の部分が、前後方向の両端部では吸収性物品の使用面（図示形態では、表面シート２２の表面）に貼り合わされて固定され、かつ前後方向の両端部の間では、吸収性物品の使用面に固定されていない。なお、高剛性部２９を設けた場合、立体ギャザー２６の起立基端は、高剛性部２９となる。また、高剛性部２９を設けずに中間弾性部材３０のみを設けた場合、立体ギャザー２６の起立基端は、窪み部２７となる。
【００３４】
前記ギャザーシート２４の素材としては、プラスチックシートやメルトブローン不織布を使用することもできるが、肌への感触性の点で、不織布にシリコンなどにより撥水処理をしたものが好適に使用される。
【００３５】
そして、そのギャザーシート２４の側縁部には、弾性伸縮部材３１が前後方向に沿って伸張状態でホットメルト接着剤等により固定されている。この弾性伸縮部材３１としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３６】
（窪み部）
前記吸収体２３の前後方向中央部分Ｃ１（以下、「股間部」という。）においては、幅方向外側から中心側へ向かって窪んだ窪み部２７が設けられる。吸収体２３にこのような窪み部２７を設けることにより、着用者が吸収体２３を装着した際に、股間部におけるごわつきを低減することができる。また、この窪み部２７を設けていない製品と比べて、着用者の脚圧により股間部の吸収体２３の潰れる量が少なくなるため、排泄物の漏れの防止効果を高めることができる。
【００３７】
また、この窪み部２７の形状は、図１５に例示するように、弧状、台形状等、任意の形状にすることができる。なお、装着者の大腿部と吸収体２３の接触面積を増加させて、肌触りを良くするため、大腿部の肌の湾曲に沿った弧状とするのが好ましい。
【００３８】
（易撓み部）
前記吸収体２３の側縁の延長仮想線と窪み部２７によって囲まれる領域は、吸収体２３が存在しないのであるから、吸収体２３の存在領域より柔らかく、可撓性に富んでいる。したがって、容易に撓む易撓み部２８が形成されている。この易撓み部２８は、表面シート２２と、この表面シート２２の裏面側にあるシートによって構成される。この裏面側のシートには、例えば防漏シート２１や外装シート２５が含まれ、吸収体２３は含まれない。この易撓み部２８は、前記立体ギャザー２６が起立すると、連動して起立するように構成される。
【００３９】
（高剛性部）
そして、本発明においては、窪み部２７に沿って、あるいは窪み部２７の外側の近接した位置において（好適には窪み部２７に沿って）、ヒートエンボス等を施すことによって、易撓み部２８あるいは窪み部２７の剛性を高くした高剛性部２９が形成されている。この高剛性部２９の形状は、図１５に例示するように、弧状、台形状等、任意の形状にすることができる。なお、窪み部２７の形状と高剛性部２９の形状は、一致していているのが望ましいが、必ずしも一致していなくて良い。例えば、窪み部２７の形状が台形状である場合であっても、装着者の大腿部に対する肌触りを良くすることを考慮すると、高剛性部２９の形状を、大腿部の肌の湾曲に沿った弧状にするのが好ましい。
【００４０】
また、前記高剛性部２９は、表面シート２２および裏面側のシートに対して、ヒートシール、超音波、ヒートエンボス等を施すことによって形成することができる。特に、製造スピードが速く、剛性が強くなりすぎない等の理由から、超音波によって形成することが好ましい。なお、この高剛性部２９を形成する場合、表面シート２２から裏面側のシートへ向けて、窪みを形成することが好ましい。そのため、例えばヒートエンボスを用いて高剛性部２９を形成する場合、製造ロールの凸状部分を使用面側からのみ押し込むことや、使用面側及び裏面側の両面から押し込むことが好ましい。
【００４１】
このように高剛性部２９を形成することにより、立体ギャザー２６の弾性伸縮部材３１が収縮したときに、高剛性部２９が起立起点となって、易撓み部２８を立ち上げることができる。その結果、立体ギャザー２６の立ち上がる高さが高くなるため、着用者の大腿部と立体ギャザー２６の密着性が強くなり、排泄物の横漏れを防ぐことができる。
【００４２】
なお、この高剛性部２９は、易撓み部２８と窪み部２７との境界位置、または窪み部２７の外側近傍に形成することが好ましい。高剛性部２９を窪み部２７の外側近傍に形成する場合は、図１５（Ｃ）に示すように、窪み部２７と高剛性部２９との間の距離Ｎが、３０ｍｍ以下、より好ましくは１０ｍｍ以下、さらに好ましくは５ｍｍ以下となるように形成することが好ましい。また、窪み部２７と高剛性部２９との間の距離が、場所によって異なる場合も生じ得る。図１５（Ｃ）の例においては、Ｎ１の長さがＮ２の長さよりも長く形成されている。このような距離の違いがある場合においては、Ｎ２の長さがＮ１の長さよりも長いか短いかに関わらず、窪み部２７の前後方向中央側の長さＮ１を基準に考え、Ｎ１の長さを３０ｍｍ以下、より好ましくは１０ｍｍ以下、さらに好ましくは５ｍｍ以下となるように形成することが好ましい。窪み部２７と高剛性部２９の間の距離Ｎが３０ｍｍよりも長くなると、窪み部２７から立体ギャザー２６を立ち上げることができず、立体ギャザー２６の立ち上がる高さが低くなるという不利益が生じる。
【００４３】
（中間弾性伸縮部材）
立体ギャザーシートの起立端側には、中間弾性伸縮部材３０を固定することができる。この中間弾性伸縮部材３０は、前後方向の長さ及び固定位置を易撓み部２８とほぼ同じにすることが好ましい。具体的には、中間弾性伸縮部材３０の前後方向の長さと、易撓み部２８の前後方向の長さとの差Ｍが、３０ｍｍ以下の差の範囲内、より好ましくは１０ｍｍ以下の範囲内、さらに好ましくは５ｍｍ以下の範囲内にすることが好ましい。また、この前後方向の長さの差Ｍが、場所によって異なる場合も生じ得る。図１５（Ｂ）の例においては、Ｍ２の長さがＭ１の長さよりも長く形成されている。このような距離の違いがある場合においては、差が大きいＭ２を基準に考え、Ｍ２の長さを３０ｍｍ以下、より好ましくは１０ｍｍ以下、さらに好ましくは５ｍｍ以下となるように形成することが好ましい。前後方向の長さの差Ｍが、３０ｍｍよりも長くなると、中間弾性伸縮部材３０によって、窪み部２７から立体ギャザー２６を立ち上げる作用に支障が生じ、立体ギャザー２６の立ち上がる高さが低くなるという不利益が生じる。
【００４４】
また、易撓み部２８の前端および後端の位置またはその近傍に、中間弾性伸縮部材３０の両端を固定し、そこから前後方向中央側かつ幅方向外側へ膨らむ形態で固定するのが好ましい。また、この中間弾性伸縮部材３０を固定する形状は、図１５に例示するように、弧状、台形状等、任意の形状にすることができる。なお、この中間弾性伸縮部材３０の素材や、固定をする際の接着剤等については、前記弾性伸縮部材３１と同様であるため、ここでは説明を省略する。
【００４５】
このように中間弾性伸縮部材３０を設け、それが収縮することにより、易撓み部２８が立ち上がりやすくなる。その結果、立体ギャザー２６の立ち上がる高さが高くなるため、着用者の大腿部と立体ギャザー２６の密着性が強くなり、排泄物の横漏れを防ぐことができる。
【００４６】
また、吸収パッド２００を着用するとき、吸収体２３が湾曲する。そのため、製造時に湾曲させて固定した中間弾性伸縮部材３０は、着用時に収縮して直線状となる。
【００４７】
また、この中間弾性伸縮部材３０を、窪み部２７に沿って配置した場合や、吸収体２３の前後方向と平行に配置した場合は、中間弾性伸縮部材３０の収縮につられて、吸収体２３に皺が入り、股間部のごわつきが生じるとともに、排泄物の漏れが発生しやすい。そこで、本発明のように、中間弾性伸縮部材３０を前後方向中央側かつ幅方向外側へ膨らむ形態で固定することにより、吸収体２３に皺が入ること等を防ぐことができる。
【００４８】
（変形例）
なお、前記の説明においては、高剛性部２９および中間弾性伸縮部材３０を、吸収性パッド２００の両側にそれぞれ１つずつ設けた例を示したが、それに限られるものではなく、複数設けるようにしても良い。
【００４９】
また、前記の説明においては、吸収パッド２００に高剛性部２９及び中間弾性伸縮部材３０を設けた例を示したが、それらをテープ式紙おむつやパンツ式紙おむつに設けるようにしてもよい。
【符号の説明】
【００５０】
１２Ａ…サイドシール部、１５、１９…ウエスト中間部弾性伸縮部材、１６、１８…ウエスト下部弾性伸縮部材、１７…ウエスト上部部弾性伸縮部材、２１…防漏シート、２２…表面シート、２３…吸収体、２４…ギャザーシート、２５…外装シート、２６…立体ギャザー、２７…窪み部、２８…易撓み部、２９…高剛性部、３０…中間弾性伸縮部材、３１…（立体ギャザーの）弾性伸縮部材、３２…（平面ギャザーの）弾性伸縮部材、３３…ターゲットテープ、３４…クレープ紙、３５…ファスニングテープ、３６…面ファスナー、３７…接合部分、４０…中間シート、５８…包装シート、６７…前後固定部、２００…吸収パッド、３００…パンツ式紙おむつ、４００…テープ式紙おむつ、Ｌ１…（吸収性物品の）全長、Ｗ１…（吸収性物品の）全幅、Ｆ１…（前後方向）腹側部分、Ｃ１…（前後方向）中央部分、Ｂ１…（前後方向）背側部分、×…接合部分、Ｔ…ウエスト縁部、Ｕ…ウエスト下部、Ｗ…ウエスト縁部、ＥＦ…エンドフラップ、ＳＦ…サイドフラップ
【図１】
2014198195.tif 000003
【図２】
2014198195.tif 000004
【図３】
2014198195.tif 000005
【図４】
2014198195.tif 000006
【図５】
2014198195.tif 000007
【図６】
2014198195.tif 000008
【図７】
2014198195.tif 000009
【図８】
2014198195.tif 000010
【図９】
2014198195.tif 000011
【図１０】
2014198195.tif 000012
【図１１】
2014198195.tif 000013
【図１２】
2014198195.tif 000014
【図１３】
2014198195.tif 000015
【図１４】
2014198195.tif 000016
【図１５】
2014198195.tif 000017